(57)【要約】  量（１２．１，１２．２）の粒子材料を空洞（２，１５．１，１５．２）に注入するための方法であって、その方法は、開口面が上方向を向いている室（４，１０．１，１０．２）に、量（１２．１，１２．２）の粒子材料を注入するステップと、注入された室（４，１０．１，１０．２）の開口の向かい側に空洞（２，１５．１，１５．２）の開口を配置するステップと、その後、空洞（２，１５．１，１５．２）の開口面が上方を向くように空洞が位置付けられ、且つ室（４，１０．１，１０．２）の開口面が下方を向くように室が位置付けられるように、室（４，１０．１，１０．２）と空洞（２，１５．１，１５．２）を回転させるステップと、を有する。これにより、量（１２．１，１２．２）の粒子材料は、空洞（２，１５．１，１５．２）に流れ込む。対応する装置は、室（４，１０．１，１０．２）と、量（１２．１，１２．２）の粒子材料を室（４，１０．１，１０．２）に注入するための注入手段（２２，２３，２４）と、室（４，１０．１，１０．２）の開口の向かい側に空洞（２，１５．１，１５．２）の開口を配置する稼働手段（２９）と、空洞（２，１５．１，１５．２）の開口面が上方を向くように空洞が位置付けられ、且つ室（４，１０．１，１０．２）の開口面が下方を向くように室が位置付けられるように、室（４，１０．１，１０．２）と空洞（２，１５．１，１５．２）を回転させるコンベヤーベルト（２０）と、を有する。
2008540263.tif 000002
【特許請求の範囲】
【請求項１】
少なくとも部分的に上方を向く開口面を備えた室に多量の粒子材料を注入するステップを有する、多量の粒子材料を空洞に注入する方法であって、
注入された前記室の開口の向かい側に前記空洞の開口を配置するステップと、
その後、前記空洞の開口面が少なくとも部分的に上方を向くように前記空洞が位置付けられ、且つ前記室の開口面が少なくとも部分的に下方を向くように前記室が位置付けられるように、前記室を前記空洞と共に回転させるステップと、
を有し、
多量の粒子材料を前記空洞の中に流入させることを特徴とする方法。
【請求項２】
前記回転前に、前記空洞を前記室に取り外し可能に固定することを特徴とする、請求項１に記載の方法。
【請求項３】
前記空洞が満たされたときに、前記室から前記空洞を取り外すことを特徴とする、請求項２に記載の方法。
【請求項４】
前記室をこすり満たすことを特徴とする、請求項１から請求項３のいずれかの請求項に記載の方法。
【請求項５】
前記こすり満たすことは、少なくとも１つの回転スクレイパーにより成し遂げられることを特徴とする、請求項４に記載の方法。
【請求項６】
前記空洞の容積より小さな容積を形成する量の粒子材料を前記室に注入することを特徴とする、請求項１から請求項５のいずれかの請求項に記載の方法。
【請求項７】
前記粒子材料は、粉末の薬剤を含むことを特徴とする、請求項１から請求項６のいずれかの請求項に記載の方法。
【請求項８】
少なくとも１つの室と、
少なくとも部分的に上方を向く開口面を備えた前記室に多量の粒子材料を注入する注入手段と、
を有する、多量の粒子材料を少なくとも１つの空洞に注入する装置であって、
前記室の開口の向かい側に前記空洞の開口を配置する稼働手段と、
前記空洞の開口面が少なくとも部分的に上方を向くように前記空洞が位置付けられ、且つ前記室の開口面が少なくとも部分的に下方を向くように前記室が位置付けられるように、前記室を前記空洞と共に回転させる誘導手段と、
をさらに有し、
多量の粒子材料を前記空洞の中に流入させることを特徴とする装置。
【請求項９】
前記回転前に、前記空洞を前記室に取り外し可能に固定する固定手段を有することを特徴とする、請求項８に記載の装置。
【請求項１０】
前記空洞が満たされたときに、前記室から前記空洞を取り外す分離手段を有することを特徴とする、請求項９に記載の装置。
【請求項１１】
前記注入手段は、前記室をこすり満たすためのスクレイパー手段を有することを特徴とする、請求項８から請求項１０のいずれかの請求項に記載の装置。
【請求項１２】
前記スクレイパー手段は、少なくとも１つの回転スクレイパーを含むことを特徴とする、請求項１１に記載の装置。
【請求項１３】
前記スクレイパー手段は、複数の回転スクレイパーを含むことを特徴とする、請求項１１に記載の装置。
【請求項１４】
前記複数の回転スクレイパーは、互いに異なる形状に設計されていることを特徴とする、請求項１３に記載の装置。
【請求項１５】
各回転スクレイパーは、互いに同一の形状に設計されていることを特徴とする、請求項１３に記載の装置。
【請求項１６】
前記室の容積は、前記空洞の容積よりも小さいことを特徴とする、請求項８から請求項１５のいずれかの請求項に記載の装置。
【請求項１７】
前記装置は、前記少なくとも１つの室を備えた少なくとも１つの注入要素を有し、
前記少なくとも１つの空洞は、ディスクに設けられることを特徴とする、請求項８から請求項１５のいずれかの請求項に記載の装置。
【請求項１８】
前記注入要素は、多くの室を有し、
前記室の数は、前記空洞の数と同一であり、
前記室の位置は、前記ディスクの前記空洞の位置に対応し、
前記注入要素がディスクに固定されるときに、各室の開口が空洞の開口に向かい合うことを特徴とする請求項１７に記載の装置。
【請求項１９】
前記装置は、多くの前記注入要素を有することを特徴とする、請求項１７または請求項１８に記載の装置。
【請求項２０】
前記誘導手段は、前記注入要素が取り付けられたコンベヤーベルトを有することを特徴とする、請求項１７から請求項１９のいずれかの請求項に記載の装置。
【請求項２１】
前記装置は、粉末の薬剤を含む粒子材料に適合していることを特徴とする、請求項８から請求項２０のいずれかの請求項に記載の装置。
【請求項２２】
前記装置は、非線形の空洞の並べ方で配置された複数の空洞を満たすように設けられていることを特徴とする、請求項８から請求項２１のいずれかの請求項に記載の装置。
【請求項２３】
服用量の薬剤を含むパックを生成する方法であって、
前記パックは、１回分の薬剤を収容するための少なくとも１つの空洞を有し、
前記方法は、多量の粒子材料を空洞に注入する工程を有し、
前記空洞は、封止シートにより封止され、
前記方法は、請求項１から請求項７のいずれかに記載された特定の工程を有することを特徴とする方法。
【請求項２４】
服用量の薬剤を含むパックを生成する器具であって、
前記パックは、１回分の薬剤を収容するための少なくとも１つの空洞を有し、
前記器具は、多量の粒子材料を空洞に注入する少なくとも１つの装置と、封止シートで前記空洞を封止する封止手段とを有し、
前記装置は、請求項８から請求項２２のいずれかに記載された特定の特徴を有することを特徴とする器具。
【発明の詳細な説明】
【技術分野】
【０００１】
本発明は、多量（"a quantity of"）の粒子材料を空洞（"cavity"）に注入する方法及び装置に関し、少なくとも部分的に上方を向く開口面を備えた室（"chamber"）に多量の粒子材料を注入するステップを有する。本発明の方法及び装置は、服用量の粉末の薬剤を入れるパックを満たすことに適しており、その服用量の粉末の薬剤はパックの空洞に収容され、そのパックは吸入装置内で用いられることができる。
【背景技術】
【０００２】
今日、薬剤の供給と分配は、多くの異なる方法で成し遂げられている。健康管理において、効果を得て且つ特定の薬剤を分かりやすく管理するために、ますます、吸入装置などの投薬装置を用いて、粉末状の薬剤を使用者の肺に直接投薬する可能性に集中している。大抵の場合、ある形式の投薬工程は、吸入される一回分を準備するのに使用される。通常、服用量の薬剤は、一回分の薬剤を収容する多くの空洞を備えたパックに供給される。一回分で満たされた空洞は、その後、例えばアルミニウムのホイルなどの封止シートにより封止される。これらのパックは、投薬装置に積み込まれ、投薬装置において、空洞上のホイルが貫通されて、一回分の薬剤が使用者による吸入のために放出される。この封止により、薬剤は吸飲前に十分に保護される。１回分の薬剤を収容してホイルにより封止される空洞を備えたパックに、服用量の薬剤を供給するのに適した他の場合もある。服用量の薬剤を含むパックは、粉末の薬剤を収容するためのブリスター("blister")と空洞をそれぞれ備えたブリスターパック（"blister packs"）又は射出成形ディスクの形式であり、そのパックは種々の形状を持つことができる。空洞は、種々のパターンで配置され得る。空洞を満たす方法は、異なる大きさの正確な服用量の薬剤を含むパックを提供するために、正確且つ可変の投薬を空洞に提供しなければならない。
【０００３】
ＥＰ１３５４７９５Ａ２（特許文献１）は、細かい粉末を容器に従量制で運ぶ方法及び装置を開示している。この装置は、開口を有するホッパー（"hopper"）を備えている。ホッパーは、細かい粉末を受け取るのに適している。さらに、その装置は、粉末内で振動する振動要素と、その周囲に配置された複数の室を備えた回転部とを有する。室を開口に合わせるように回転部を回転させることにより、粉末がホッパーから室内に運ばれる。回転部は、室が容器と合わさり、容器が粉末で満たされるような投薬位置まで１８０度回転される。
【０００４】
ＵＳ５１８７９２１Ａ（特許文献２）は、ブラインド（"blind"）の空洞に多量の粉末を注入する方法及び装置を開示している。その方法及び装置は、空洞の開口面が少なくとも部分的に下方に粉末の貯蔵所の方に向くようにして、その開口面が少なくとも部分的に下方を向き続けている間にそこに多量の粉末を有する空洞から離脱し、その後、ふたを利用して粉末を有する空洞を覆うことを含む。
【０００５】
ＷＯ０３／０６６４３７Ａ１（特許文献３）は、開口面を有するポケットに粉末を導くための方法及び装置を開示している。その方法及び装置は、ポケットの開口面が少なくとも部分的に上方を向くようにポケットの方向を合わせ、ポケットの容積より大きな容積の粉末をポケットに供給し、粉末の容積を所定の容積密度に圧縮し、所定の容積密度で粉末が満たされているポケットから離れるように余分の粉末を取り除くことを含んでいる。
【０００６】
ＵＳ６０３５９０５Ａ（特許文献４）は、複数の服用量の粒子材料を一服分ずつ、容器の各分室に導くための方法を開示している。この方法は、それぞれの突起、好ましくは粒子材料を通して分室に導く導管を、各分室の容積を低減するように各分室に挿入するステップと、分室に挿入されたそれぞれの突起を用いて粒子材料を各分室に注入するステップと、その突起を取り除くステップとを含み、各服用量の材料の容積がそれぞれの分室の容積より小さくなるようにしている。
【特許文献１】欧州特許第１３５４７９５号明細書
【特許文献２】米国特許第５１８７９２１号明細書
【特許文献３】国際公開第０３／０６６４３７号パンフレット
【特許文献４】米国特許第６０３５９０５号明細書
【発明の開示】
【発明が解決しようとする課題】
【０００７】
しかしながら、上述の解決策には多くの欠点がある。上述した方法及び装置のいくつかは、一服分を収容する空洞の容積より小さな容積の特定の一服分の粉末を分配することができない、又はこれを十分正確に行うことができない。空洞の容積より小さな容積を持つ一服分の粉末を分配するのに適した方法及び装置は、構造が複雑になり、直線状のパターン、又は多くの直線状のパターンからなるパターン、例えば、マトリックスのパターンの空洞を満たすことに利用できるだけであり、空洞の様々な種類のパターン、例えば、任意の非線形のパターンに配置された空洞を満たすことができない。上述した方法又は装置は、ディスク又はパックのすべての空洞又はブリスター（"blisters"）を同時に満たすことができず、多くの繰り返しの注入動作を必要とする。
【０００８】
本発明の目的は、多量の粒子材料を少なくとも１つの空洞に注入する方法及び装置を提供することである。この方法及び装置は、パック又はディスクのどんな種類のパターンでも、例えば、任意の非線形のパターンに配置された空洞又はブリスターを満たすことができ、複雑でなく、低価格で粒子材料を空洞に注入でき、一服分を収容する空洞の容積より小さな容積を持つ正確な一服分の粉末を分配でき、柔軟で、空洞の新しいパターンに適用し易く、ディスク又はパックの全ての空洞又はブリスターを同時に満たすことができ、高生産能力を提供する。
【課題を解決するための手段】
【０００９】
上述の目的は、注入された室の開口の向かい側に空洞の開口を配置して、その後、空洞の開口面が少なくとも部分的に上方を向くように空洞が位置付けられ、且つ室の開口面が少なくとも部分的に下方を向くように室が位置付けられるように、室を空洞と共に回転させ、多量の粒子材料を空洞の中に流入させる、特別な手段を備えた、請求項１の前置きで定義された種類の方法を提供することにより達成される。また、上述の目的は、室の開口の向かい側に空洞の開口を配置する稼働手段と、空洞の開口面が少なくとも部分的に上方を向くように空洞が位置付けられ、且つ室の開口面が少なくとも部分的に下方を向くように室が位置付けられるように、室を空洞と共に回転させる誘導手段と、を有し、多量の粒子材料を空洞の中に流入させる、請求項８の前置きで定義された種類の装置を提供することにより、達成される。
【００１０】
本発明のこの方法及び装置により、パック又はディスクのありとあらゆる種類のパターン、例えば、任意の非線形のパターンに配置された空洞又はブリスターは、満たされうる。空洞は、一服分を収容する空洞の容積よりも小さな容積を持つ正確な一服分の粉末で満たされうる。ディスク又はパックの全ての空洞又はブリスターは、同時に満たされうる。これにより、高生産能力を実現する。過剰な製剤の損失はなく、本発明は高い稼働安全性と、装置の小さな物理サイズを提供する。方法及び装置は、簡単な充填を提供し、低価格で粒子材料を空洞に注入する。室は交換可能であり、空洞に投薬される一服分の大きさに適応するのが好ましい。
【００１１】
多量の粒子材料は、重力により空洞に流れ込むが、本発明の方法において、室からの材料の放出は、多量の粒子材料を空洞に注入するときに室をたたく又は振動させることにより、又は、加圧ガス又は振動の形式、例えば超音波による付加的な力を粒子材料に受けさせることにより、促進できる。相応じて、装置は、多量の粒子材料を空洞に流入するときに室を振動させる振動手段、又は、加圧ガス又は振動の形式、例えば超音波により生じる付加的な力を粒子材料に受けさせる他の追加の手段を備えることができる。
【００１２】
本発明の方法及び装置は、１ｍｇより多い充填量に適している。注入の正確度は、粒子材料の流動能力と重さに伴って増加する。さらに、方法及び装置は、自由に流動する、又は適度に自由に流動する粒子材料、例えば、担体を基部とする（"carrier-based"）製剤に適している。注入方法は、卓上（"bench-top"）設定で試験され、８ｍｇの担体を基部とする製剤は、手動でこすって、１００室に注入された。この注入の正確度は、２．４％ＲＳＤを確立した。
【００１３】
室の開口の大きさと形状は、空洞の開口と等しいのが好ましい。又は、室の開口は空洞の開口よりも小さく、且つ室と空洞の開口が互いに向き合うときに、室の開口が空洞の開口の境界によって囲まれる。
【００１４】
本発明の方法の有利な態様によれば、空洞は回転前に室に取り外し可能に固定され、空洞が満たされたときに空洞は室から取り外される。
【００１５】
本発明の方法のさらに有利な態様によれば、室は、こすり満たすこと（"scrape filling"）により満たされ、こすり満たすことは、少なくとも１つの回転スクレイパー（"scraper"）により達成される。
【００１６】
本発明の方法の他の有利な態様によれば、室は、空洞の容積より小さな容積を形成する量の粒子材料で満たされる。その方法は、粉末の薬剤を含む粒子材料のために用いられるのが好ましい。
【００１７】
本発明の装置の有利な態様によれば、その装置は、回転前に空洞を取り外し可能に室に固定する固定手段を有し、その装置は、空洞が満たされたときに室から空洞を取り外す分離手段を有するのが好ましい。
【００１８】
本発明の装置のさらに有利な態様によれば、注入手段は、室をこすり満たすためのスクレイパー手段を含み、そのスクレイパー手段は、少なくとも１つの回転スクレイパーを含むのが好ましい。
【００１９】
本発明の装置の他の有利な態様によれば、室の容積は、空洞の容積より小さい。この態様により、空洞は、正確に且つ簡単に、空洞の容積より小さな容積の量の粒子材料で満たされる。
【００２０】
本発明の装置のさらに他の有利な態様によれば、装置は、少なくとも１つの室を備えた少なくとも１つの注入要素を有し、その装置は、ディスクに設けられた少なくとも１つの空洞に適応している。その要素は、他の大きさ及び他のパターンに配置された室を備えた他の要素と交換可能であり、他のサイズの服用量と空洞の他のパターンに適合するのが好ましい。
【００２１】
本発明の装置の有利な態様によれば、注入要素は多くの室を有し、室の数（"amount"）は、空洞の数と同一であり、室の位置はディスクの空洞の位置に対応する。これにより、各室の開口は、注入要素がディスクに固定されたときに空洞の開口と向かい合う。装置は、多くの注入要素を有するのが好ましい。
【００２２】
本発明の装置の他の有利な態様によれば、誘導手段は、注入要素が取り付けられたコンベヤーベルト（"conveyor belt"）を有する。好ましくは、装置は、粉末の薬剤を含む粒子材料に適応している。
【００２３】
さらに、本発明は、請求項１９の前置きで定義された種類の服用量の薬剤を含むパックを生成する方法を提供する。この方法は、請求項１から請求項７のいずれかに記述された特定の工程を有する。
【００２４】
本発明は、請求項２０の前置きで定義された種類の服用量の薬剤を含むパックを生成する器具も提供する。この器具において、装置は請求項８から請求項１８のいずれかに記述された特定の特徴を有する。
【発明を実施するための最良の形態】
【００２５】
本発明は、例示的な目的のためにさらに詳細に実施形態と添付の図面を参照することにより、記述される。
【００２６】
図１は、粉末の薬剤を収容するための多くの空洞２を備えた円形のドラッグディスク１の上面図を示す。空洞２は、円形のパターンで配置されている。この種類のディスク１は、例えば、吸入装置に装填され得る。
【００２７】
図２は、図１のディスクに適合する、本発明の注入要素３の実施形態の上面図を示す。注入要素３は、多くの室（"chambers"）４を備えている。室４の数（"amount"）は、ディスクの空洞の数と同じである。室４の位置は、ディスクの空洞の位置に対応している。これにより、各室４の開口は、注入要素３がディスクに固定されたときに空洞の開口と向かい合う。さらに、図２は、室４をこすり満たすためのスクレイパー手段５を示している。スクレイパー手段５は、４つの回転スクレイパー６を含む。投薬装置（図示せず）は、粉末の薬剤を注入要素３の面上に分配するために設けられる。
【００２８】
図２において、粉末の薬剤は、４箇所の位置７で注入要素３の面上に分配されている。全ての室４をこすり満たすために、全ての室４の総容積の少なくとも２倍に等しい量の粉末が用いられるのが好ましい。注入要素３は、放射状の空にするスリット（"a radial emptying slit"）８を備えている。室４に注入されなかった余分の粉末は、回転スクレイパー６の回転中にこのスリット８に集められ、室を次に満たすときに、再利用され得る。余分な粉末を処分するための手段は、室の近くのスリット又は開口を介してもいい。円形に配置された室の場合、スリットは、図に示すように放射状であってもよく、もしくは室の内側の同軸又は室の外側の同軸であってもよい。余分な粉末は、吸引、ブラッシング、又は粘着面を用いて処理されうる。
【００２９】
図３ａ〜図３ｈは、空洞を有するディスクと、そのディスクに適合する注入要素とを示し、本発明の方法の実施形態を図示している。これらの図には、２つの空洞と２つの室のみが示されている。図３ａは、注入要素１１に設けられた２つの室１０．１，１０．２を示している。各室１０．１，１０．２の開口面は、実質的に上方を向いている。この場合、各室の容積は、満たされる空洞の容積の約７５〜１００％である。注入要素１１は、空洞の必要な一服分の大きさに適合するために、異なる容積を持つ室を備えた注入要素に交換可能である。
【００３０】
図３ｂにおいて、各室１０．１，１０．２の全ての容積が、回転スクレイパー１３により、量１２．１，１２．２の粉末の薬剤で、こすり満たされる。図３ｃにおいて、全ての室１０．１，１０．２が量１２．１，１２．２の粉末の薬剤で満たされ、全ての余分な粉末が取り除かれる。
【００３１】
図３ｄにおいて、注入要素１１の室１０．１，１０．２の数と同じ数で、注入要素１１の室１０．１，１０．２の位置に対応する位置に設けられた多くの空洞１５．１，１５．２を備えたディスク１４は、注入要素１１の上面に配置される。その結果、各空洞１５．１，１５．２の開口は、対応する室１０．１，１０．２の開口と対向し、且つ近接近する。ディスク１４は、注入要素１１に取り外し可能に固定される。
【００３２】
図３ｅにおいて、組み合わされた注入要素１１とディスク１４は、約１８０度回転される。これにより、各室１０．１，１０．２は、対応する空洞１５．１，１５．２と共に回転され、その結果、各空洞１５．１，１５．２は、その開口面が実質的に上方を向くように位置付けられ、各室１０．１，１０．２は、その開口面が実質的に下方を向くように位置付けられる。図３ｆにおいて、量１２．１，１２．２の粉末の薬剤は、各空洞１５．１，１５．２に流入される。これにより、各室１０．１，１０．２から、粉末が除去される。
【００３３】
図３ｇにおいて、注入要素１１は、ディスク１４から取り外され、各空洞１５．１，１５．２の容積は、粉末の薬剤により７５〜１００％まで満たされる。図３ｈにおいて、量１２．１，１２．２の粉末の薬剤でそれぞれ満たされた空洞１５．１，１５．２は、アルミニウムの封止シート１６により封止される。
【００３４】
図４は、本発明における多量の粉末材料を空洞に注入するための装置の実施形態の概略の側面図を示している。この装置は、多くの注入要素２１が取り付けられたコンベヤーベルト２０を有する。注入要素２１は、図２の注入要素と同じデザインであり、図１のディスクと同じデザインを持つディスクに設けられた空洞を満たすのに適合している。この装置は、投薬装置２２と第１のスクレイパー手段２３と第２のスクレイパー手段２４とを含む注入手段を有する。各スクレイパー手段２３，２４は、軸２７，２８の回りを回転する複数のスクレイパー２５，２６を有する。
【００３５】
投薬装置２２は、複数の分与の粉末の薬剤を注入要素２１の表面に分配するために設けられる。第１のスクレイパー手段２３は、各室の開口面が実質的に上方を向くときに、スクレイパー２５の回転により、全ての室を第１にこすり満たすために設けられる。第２のスクレイパー手段２４は、室を第２にこすり満たし、且つ余分な粉末を注入要素２１の空にするスリットへ取り除くために設けられる（図２参照）。空にするスリットは、室に注入している間は閉じられ、余分な粉末が取り除かれるときに第２のスクレイパー手段２４の動作中に開放されるだけである。
【００３６】
装置は、各空洞の開口が、室の対応する開口と対向し且つ近接近するように、注入要素２１の上面にディスク３０を配置するための稼働手段２９を有する。各注入要素２１は、ディスク３０を注入要素２１に取り外し可能に固定するための固定手段３７を備えている。これにより、各室の開口は、空洞の開口と向きあう位置に固定される。各注入要素２１が取り付けられたコンベヤーベルト２０は、各注入要素２１を異なる工程ステップ間でガイドするためと、組み合わされた注入要素２１とディスク３０を約１８０度回転させるために設けられる。これにより、満たされた室は、対応する空洞と共に回転される。その結果、空洞は、空洞の開口面が実質的に上方を向くように位置付けられ、室は、室の開口面が実質的に下方を向くように位置付けられる。これにより、粉末の材料は、注入要素２１の室からディスク３０の対応する空洞に流れ込む。
【００３７】
さらに、装置は、各空洞が満たされたときに、ディスクを注入要素２１から取り外すための分離手段３１を有する。装置は、また、室から粉末の薬剤が取り除かれた後、注入要素２１を圧搾空気及び吸引により清掃するために設けられた第１及び第２の清掃部３２，３３を有する。さらに、装置は、第１及び第２の監視装置３４，３５を有する。第１の監視装置３４は、注入手段２２，２３，２４の後で室を調べるために設けられ、完全な充填を確認する。第２の監視装置３５は、第１と第２の清掃部３２，３３の後で注入要素２１を調べるために設けられ、注入要素２１の完全な清掃を確認する。装置は、ディスク３０の完全な充填を確認するための第３の監視装置３６を任意に備えることができる。
【図面の簡単な説明】
【００３８】
【図１】円形のパターンの空洞を備えた円形のドラッグディスクの概略上面図
【図２】本発明の注入要素の実施形態とスクレイパー手段の実施形態とを示す概略の上面図であって、注入要素は、図１のドラッグディスクに対応する。
【図３ａ】本発明の方法の実施形態を示し、空洞を備えるディスクに適用される、本発明の注入要素の概略の部分的な側面図
【図３ｂ】本発明の方法の実施形態を示し、空洞を備えるディスクに適用される、本発明の注入要素の概略の部分的な側面図
【図３ｃ】本発明の方法の実施形態を示し、空洞を備えるディスクに適用される、本発明の注入要素の概略の部分的な側面図
【図３ｄ】本発明の方法の実施形態を示し、空洞を備えるディスクに適用される、本発明の注入要素の概略の部分的な側面図
【図３ｅ】本発明の方法の実施形態を示し、空洞を備えるディスクに適用される、本発明の注入要素の概略の部分的な側面図
【図３ｆ】本発明の方法の実施形態を示し、空洞を備えるディスクに適用される、本発明の注入要素の概略の部分的な側面図
【図３ｇ】本発明の方法の実施形態を示し、空洞を備えるディスクに適用される、本発明の注入要素の概略の部分的な側面図
【図３ｈ】本発明の方法の実施形態を示し、空洞を備えるディスクに適用される、本発明の注入要素の概略の部分的な側面図
【図４】本発明の装置の実施形態の概略の側面図
【図１】
2008540263.tif 000003
【図２】
2008540263.tif 000004
【図３ａ】
2008540263.tif 000005
【図３ｂ】
2008540263.tif 000006
【図３ｃ】
2008540263.tif 000007
【図３ｄ】
2008540263.tif 000008
【図３ｅ】
2008540263.tif 000009
【図３ｆ】
2008540263.tif 000010
【図３ｇ】
2008540263.tif 000011
【図３ｈ】
2008540263.tif 000012
【図４】
2008540263.tif 000013
【手続補正書】
【提出日】平成20年1月7日(2008.1.7)
【手続補正１】
【補正対象書類名】特許請求の範囲
【補正対象項目名】全文
【補正方法】変更
【補正の内容】
【特許請求の範囲】
【請求項１】
少なくとも部分的に上方を向く開口面を備えた室に多量の粒子材料を注入するステップを有する、多量の粒子材料を空洞に注入する方法であって、
注入された前記室の開口の向かい側に前記空洞の開口を配置するステップと、
その後、前記空洞の開口面が少なくとも部分的に上方を向くように前記空洞が位置付けられ、且つ前記室の開口面が少なくとも部分的に下方を向くように前記室が位置付けられるように、前記室を前記空洞と共に回転させるステップと、
を有し、
多量の粒子材料を前記空洞の中に流入させることを特徴とする方法。
【請求項２】
前記回転前に、前記空洞を前記室に取り外し可能に固定することを特徴とする、請求項１に記載の方法。
【請求項３】
前記空洞が満たされたときに、前記室から前記空洞を取り外すことを特徴とする、請求項２に記載の方法。
【請求項４】
前記室をこすり満たすことを特徴とする、請求項１から請求項３のいずれかの請求項に記載の方法。
【請求項５】
前記こすり満たすことは、少なくとも１つの回転スクレイパーにより成し遂げられることを特徴とする、請求項４に記載の方法。
【請求項６】
前記空洞の容積より小さな容積を形成する量の粒子材料を前記室に注入することを特徴とする、請求項１から請求項５のいずれかの請求項に記載の方法。
【請求項７】
前記粒子材料は、粉末の薬剤を含むことを特徴とする、請求項１から請求項６のいずれかの請求項に記載の方法。
【請求項８】
少なくとも１つの室と、
少なくとも部分的に上方を向く開口面を備えた前記室に多量の粒子材料を注入する注入手段と、
を有する、多量の粒子材料を少なくとも１つの空洞に注入する装置であって、
前記室の開口の向かい側に前記空洞の開口を配置する稼働手段と、
前記空洞の開口面が少なくとも部分的に上方を向くように前記空洞が位置付けられ、且つ前記室の開口面が少なくとも部分的に下方を向くように前記室が位置付けられるように、前記室を前記空洞と共に回転させる誘導手段と、
をさらに有し、
多量の粒子材料を前記空洞の中に流入させることを特徴とする装置。
【請求項９】
前記回転前に、前記空洞を前記室に取り外し可能に固定する固定手段を有することを特徴とする、請求項８に記載の装置。
【請求項１０】
前記空洞が満たされたときに、前記室から前記空洞を取り外す分離手段を有することを特徴とする、請求項９に記載の装置。
【請求項１１】
前記注入手段は、前記室をこすり満たすためのスクレイパー手段を有することを特徴とする、請求項８から請求項１０のいずれかの請求項に記載の装置。
【請求項１２】
前記スクレイパー手段は、少なくとも１つの回転スクレイパーを含むことを特徴とする、請求項１１に記載の装置。
【請求項１３】
前記スクレイパー手段は、複数の回転スクレイパーを含むことを特徴とする、請求項１１に記載の装置。
【請求項１４】
前記複数の回転スクレイパーは、互いに異なる形状に設計されていることを特徴とする、請求項１３に記載の装置。
【請求項１５】
各回転スクレイパーは、互いに同一の形状に設計されていることを特徴とする、請求項１３に記載の装置。
【請求項１６】
前記室の容積は、前記空洞の容積よりも小さいことを特徴とする、請求項８から請求項１５のいずれかの請求項に記載の装置。
【請求項１７】
前記装置は、前記少なくとも１つの室を備えた少なくとも１つの注入要素を有し、
前記少なくとも１つの空洞は、ディスクに設けられることを特徴とする、請求項８から請求項１５のいずれかの請求項に記載の装置。
【請求項１８】
前記注入要素は、多くの室を有し、
前記室の数は、前記空洞の数と同一であり、
前記室の位置は、前記ディスクの前記空洞の位置に対応し、
前記注入要素がディスクに固定されるときに、各室の開口が空洞の開口に向かい合うことを特徴とする請求項１７に記載の装置。
【請求項１９】
前記装置は、多くの前記注入要素を有することを特徴とする、請求項１７または請求項１８に記載の装置。
【請求項２０】
前記誘導手段は、前記注入要素が取り付けられたコンベヤーベルトを有することを特徴とする、請求項１７から請求項１９のいずれかの請求項に記載の装置。
【請求項２１】
前記装置は、粉末の薬剤を含む粒子材料に適合していることを特徴とする、請求項８から請求項２０のいずれかの請求項に記載の装置。
【請求項２２】
前記装置は、非線形の空洞の並べ方で配置された複数の空洞を満たすように設けられていることを特徴とする、請求項８から請求項２１のいずれかの請求項に記載の装置。
【請求項２３】
服用量の薬剤を含むパックを生成する方法であって、
前記パックは、１回分の薬剤を収容するための少なくとも１つの空洞を有し、
前記方法は、多量の粒子材料を空洞に注入する工程を有し、
前記空洞は、封止シートにより封止され、
前記方法は、請求項１から請求項７のいずれかに記載された特定の工程を有することを特徴とする方法。
【請求項２４】
服用量の薬剤を含むパックを生成する器具であって、
前記パックは、１回分の薬剤を収容するための少なくとも１つの空洞を有し、
前記器具は、多量の粒子材料を空洞に注入する少なくとも１つの装置と、封止シートで前記空洞を封止する封止手段とを有し、
前記装置は、請求項８から請求項２２のいずれかに記載された特定の特徴を有することを特徴とする器具。
【請求項２５】
請求項１の方法により、空洞に注入された粒子材料を患者に投与するステップを有する、治療方法。
【国際調査報告】
2008540263.tif 000014
2008540263.tif 000015
2008540263.tif 000016
2008540263.tif 000017